(57)【要約】【課題】薬剤収容部に収納された薬剤を水中、若しくは、シャワーヘッド内に長期間保管した場合でも、カートリッジ内における薬剤収容部における通水の低下を抑制できるシャワーヘッド用化粧剤カートリッジを提供する。【解決手段】カートリッジ５０は薬剤収容部５４と、薬剤収容部５４内を貫通して配置された内管５３を備える。内管５３は上流端に開口５１ｃを備える。内管５３の下流端には流入した冷水または温水を吐出する吐出口５３ａを有する。薬剤収容部５４に面する内管５３の上流側は、流入した冷水または温水が薬剤収容部５４とは出入り不能である非連通部１０２を有する。薬剤収容部５４に面する内管５３の下流側は、内管５３を通過する冷水または温水が薬剤収容部５４を出入り可能な連通孔５３ｃを有する。化粧剤が薬剤収容部５４の非連通部１０２に臨む空間において、非連通部１０２と連通孔５３ｃの境界線Ｋまで充填されている。【選択図】図２
2015104547.tif 000002
【特許請求の範囲】
【請求項１】
シャワーヘッド用化粧剤を収納する筒状の薬剤収容部と、
前記薬剤収容部内を貫通して配置された通水管であって、上流端には冷水または温水を取り込む流入口を備えた通水管とを備え、
前記通水管の下流端、または、前記薬剤収容部の下流部には流入した前記冷水または温水を吐出する吐出部を有し、
前記薬剤収容部に面する前記通水管の上流側は、流入した前記冷水または温水が前記薬剤収容部とは出入り不能である非連通部を有し、
前記薬剤収容部に面する前記通水管の下流側は、前記通水管を通過する前記冷水または温水が前記薬剤収容部を出入り可能に設けられた連通部を有し、
前記シャワーヘッド用化粧剤が、前記薬剤収容部の前記非連通部に臨む空間において、多くとも前記非連通部と前記連通部の境界線まで充填されているシャワーヘッド用化粧剤カートリッジ。
【請求項２】
前記連通部が、単数または複数の連通孔である請求項１に記載のシャワーヘッド用化粧剤カートリッジ。
【発明の詳細な説明】
【技術分野】
【０００１】
本発明は、シャワーヘッド用化粧剤カートリッジに関する。
【背景技術】
【０００２】
一般に浴室や洗面所に設けられるシャワー装置のシャワーヘッド用化粧剤カートリッジ内には、油剤、保湿剤、香料、浴用剤等の化粧剤成分が充填されている。そして、それらの化粧剤成分がシャワーヘッド用化粧剤カートリッジ内から水中または温水中に溶出し、シャワーヘッドから散布されるようになっている。
【０００３】
特許文献１のカートリッジは、機能性水溶性物質（すなわち、薬剤）を収納する筒状の薬剤収容部内に通水管が挿入されている。前記通水管の上流端及び下流端には、それぞれ原水を取り込む流入口及び前記原水が吐出する吐出口を備えるとともに、上流端から下流端までの周面には複数の透孔が列状に並んで配置されている。
【０００４】
また、前記薬剤収容部の上流端から下流端に亘っての外周面全体には流入した前記原水をカートリッジ外部へ吐出する複数の貫通孔が形成されている（以下、この構成を従来技術１という）。
【０００５】
従来技術１では、前記カートリッジを収納したシャワーヘッドに設けられた切替弁により、前記通水管の吐出口からの原水の吐出が不能な状態と、通水管の吐出口からの原水の吐出が可能な状態を選択できるようにしている。そして、前記通水管の吐出口からの原水が吐出が不能な状態では、前記流入口を通して流入した原水を、前記透孔を介して薬剤収容部に浸入させるようにしている。この場合、前記原水は、薬剤収容部の薬剤を溶出させて前記貫通孔を介してカートリッジ外部に吐出される。また、前記通水管の吐出口からの原水の吐出が可能な状態では、流入口から流入した前記原水は、薬剤を通過せずに、吐出口からカートリッジ外部に吐出される。
【０００６】
また、前記薬剤収容部の外周面の貫通孔を有していないカートリッジも、例えば本出願人が特願２０１３−４８５０９号で提案している（以下、この構成を従来技術２という）。従来技術２では、前記カートリッジを収納したシャワーヘッドに設けられた切替弁により、前記通水管の吐出口からの原水の吐出が不能な状態と、原水の吐出が可能な状態を選択できるようにしている。そして、前記通水管の吐出口からの原水の吐出が不能な状態では、前記流入口からの原水を取り入れ不能にして、カートリッジ外周と前記カートリッジを収納するカートリッジ収納部の内周面との間に設けられた通水路に原水を通すようにしている。
【０００７】
また、前記通水管の吐出口からの原水の吐出が可能な状態では、流入口から流入した前記原水を、前記透孔を介して前記薬剤収容部に浸入させるようにしている。前記薬剤収容部に浸入した原水は、薬剤収容部の薬剤を溶出させて再び透孔を介して通水管に戻り、前記吐出口を介してカートリッジ外部に吐出される。
【先行技術文献】
【特許文献】
【０００８】
【特許文献１】特開２００８−９３１８８号公報、図１
【発明の概要】
【発明が解決しようとする課題】
【０００９】
ところで、従来技術１及び従来技術２のカートリッジでは、薬剤収容部に収納された薬剤を水中、若しくは、シャワーヘッド内に長期間保管した場合、薬剤が膨潤して、カートリッジ内における通水性を阻害する問題があった。具体的には従来技術１の場合、通水管の透孔、薬剤収容部の薬剤充填空間、貫通孔を介しての通水路が形成されるが、前記薬剤が膨潤した場合、薬剤の膨潤により薬剤収容部の薬剤充填空間における通水性が阻害される。
【００１０】
また、従来技術２の場合、通水管において上流側の透孔、薬剤収容部の薬剤充填空間、通水管において下流側の透孔を介して通水路が形成されるが、前記薬剤が膨潤した場合、薬剤収容部の薬剤充填空間における通水性が阻害される。
【００１１】
本発明の目的は、薬剤収容部に収納された薬剤を水中、若しくは、シャワーヘッド内に長期間保管した場合でも、カートリッジ内における薬剤収容部における通水の低下を抑制できるシャワーヘッド用化粧剤カートリッジを提供することにある。
【課題を解決するための手段】
【００１２】
上記の目的を達成するために、本発明のシャワーヘッド用化粧剤カートリッジは、シャワーヘッド用化粧剤を収納する筒状の薬剤収容部と、前記薬剤収容部内を貫通して配置された通水管であって、上流端には冷水または温水を取り込む流入口を備えた通水管とを備え、前記通水管の下流端、または、前記薬剤収容部の下流部には流入した前記冷水または温水を吐出する吐出部を有し、前記薬剤収容部に面する前記通水管の上流側は、流入した前記冷水または温水が前記薬剤収容部とは出入り不能である非連通部を有し、前記薬剤収容部に面する前記通水管の下流側は、前記通水管を通過する前記冷水または温水が前記薬剤収容部を出入り可能な連通部を有し、前記シャワーヘッド用化粧剤が、前記薬剤収容部の前記非連通部に臨む空間において、多くとも前記非連通部と前記連通部の境界線まで充填されているものである。
【００１３】
また、前記連通部が、単数または複数の連通孔であることが好ましい。
【発明の効果】
【００１４】
本発明によれば、薬剤収容部に収納された薬剤を水中、若しくは、シャワーヘッド内に長期間保管した場合でも、カートリッジ内における薬剤収容部における通水の低下を抑制できる。
【図面の簡単な説明】
【００１５】
【図１】シャワーヘッドの正面図。
【図２】シャワーヘッドのグリップ部の縦断面図。
【図３】シャワーヘッドに内蔵されるカートリッジを説明する図であって、（ａ）はカートリッジの外観斜視図、（ｂ）はカートリッジの断面図。
【図４】試験に使用したシャワーヘッドのグリップ部の縦断面図。
【発明を実施するための形態】
【００１６】
以下、この発明のシャワーヘッド用化粧剤カートリッジ（以下、単にカートリッジという）を具体化した一実施形態を、図１〜図３を参照して説明する。
図１に示すように、カートリッジを収納するシャワーヘッド１０は、ヘッド部１１とグリップ部１２とから構成されている。図２に示すように、ヘッド部１１にはグリップ部１２内の水路７０を下流側の流路７１，７２のうちのいずれか一方と連通させるために切替え操作される切替部２０が設けられている。流路７１，７２は切替部２０の下流側で合流されている。この切替部２０は、第１操作部材４５及び第２操作部材４８を備えている。図１に示すようにヘッド部１１の先端部１７には多数の散水孔１６が形成されている。
【００１７】
図２に示すように、前記グリップ部１２の水路７０の内部には、前記カートリッジ５０が交換可能に収容されている。グリップ部１２の内周面とカートリッジ５０の外周面との間における水路７０には通水間隙１２ｃが形成されている。ヘッド部１１とグリップ部１２とは螺合部１２ｄを介して連結され、その螺合を解除することにより、水路７０の図示上部が開放されてカートリッジ５０を脱着できる。
【００１８】
図２に示すように水路７０の下流側の底部には、複数の嵩上げ部１２ｅが形成されている。図２に示すように、この嵩上げ部１２ｅ上にカートリッジ５０を載置することによって、冷水及び温水が、水路７０内に拡散される。また、図示はしないが、グリップ部１２の内周面には、カートリッジ５０の外周面に係合して、カートリッジ５０を水路７０の中心位置において位置決めする複数の位置決めリブ部が形成されている。
【００１９】
なお、図３（ａ）（ｂ）は、カートリッジ５０が、シャワーヘッド１０に取り付けられる前の状態であり、同図に示すように、カートリッジ５０の出口部材５５に対して蓋部材６１が着脱可能に嵌合される。
【００２０】
カートリッジ５０は、有底筒体形状のカートリッジケース５１を備える。カートリッジケース５１の底壁には、複数のスリット部５１ａが形成されている。図３（ｂ）に示すように、カートリッジケース５１の底壁の中心には、スリット部５１ａと連通する円柱形状の弁室５１ｂが形成されている。この弁室５１ｂは、内管５３の上流端の開口５１ｃに連通する。開口５１ｃは、流入口の一例であり、内管５３は通水管の一例である。
【００２１】
図２及び図３（ｂ）に示すように、弁室５１ｂ内には、逆止弁として機能するゴム等の弾性材よりなるダックビル弁５２が配置されている。ダックビル弁５２の先端部５２ｂは２つに割れて、その先端部５２ｂは弾性接触される。
【００２２】
図２及び図３（ｂ）に示すように、カートリッジケース５１の軸心部には、下部が前記弁室５１ｂと一体化された円筒形状の内管５３が配置されている。カートリッジケース５１の下流側端部には筒状の出口部材５５が嵌合され、その内部には内管５３の下流側端部が嵌入されて、出口部材５５と内管５３の下流側端部の吐出口５３ａとが連通されている。吐出口５３ａは、吐出部の一例である。
【００２３】
内管５３には、周方向に、かつ長さ方向において、中央部よりも下流端側の領域に複数列の連通孔５３ｃ群が透設されている。各列の連通孔５３ｃ群は所定ピッチ（すなわち、等ピッチ）で配置されている。なお、ピッチは不等ピッチでもよいが、等ピッチの方がより好ましい。
【００２４】
また、内管５３及び弁室５１ｂとカートリッジケース５１との間には、筒状の薬剤収容部５４が区画されている。本実施形態では、薬剤収容部５４は、円筒状に形成しているが、円筒形状に限定されず、四角筒状、或いは多角筒状としてもよい。薬剤収容部５４の収納空間内には、固形の水溶性薬剤１００（すなわち、シャワーヘッド用化粧剤）が収容（充填）されている。図２、図３（ｂ）に示すように水溶性薬剤１００は、溶解されていない初期状態において薬剤１００の下流端は、複数の連通孔５３ｃのうち、最も上流側に位置する連通孔５３ｃの下端位置の高さと同じ高さとなるように配置されている。最も上流側に位置する連通孔５３ｃの下端位置の高さと同じ高さとなるところは、図２、図３（ｂ）に示すように非連通部１０２と連通孔５３ｃ（連通部）の境界線Ｋになる。そして、本実施形態では、前記初期状態では水溶性薬剤１００は、この境界線Ｋまで充填されている。
【００２５】
また、薬剤１００の下流端と出口部材５５の上端との間には空間１０１が形成されている。前記薬剤収容部５４の収納空間は収納室の一例である。
本実施形態では、薬剤１００として、例えば保湿成分を含む保湿剤を用いる。この薬剤１００は、内管５３の連通孔５３ｃを介して取り込まれた冷水及び温水によって溶解されて、保湿液を生成する。そして、保湿液は、出口部材５５を介してカートリッジ５０の外に流出する。
【００２６】
ここで、連通孔５３ｃは連通部の一例である。また、内管５３において、連通孔５３ｃ（連通部）を有していない残りの部分であって、水溶性薬剤１００が充填されている薬剤収容部５４の収納空間に面する部位は非連通部１０２に相当する。
【００２７】
図２、図３（ｂ）に示すように内管５３の図示上端部（すなわち、下流側端部）と出口部材５５との間には、網状のストレーナ５７が配置されている。このストレーナ５７は、金網等よりなり、このため、ストレーナ５７には微細な孔が多数形成されている。このストレーナ５７は、固形状態の薬剤１００から分離するとともに、連通孔５３ｃから流出した粒体をヘッド部１１側に流出しないように留める。ストレーナ５７は、全体として逆カップ状をなし、図示上端の下流側に向かって膨出されている。
【００２８】
（実施形態の作用）
次に、以上のように構成されたシャワーヘッド及びカートリッジ５０の作用について説明する。
【００２９】
保湿液を含まないシャワーを利用する場合には、図２に示すように、第２操作部材４８を押し込む。このようにすれば、水路７０の通水間隙１２ｃ側の流路７１が開放されるとともに、内管５３側の流路７２が閉鎖されて、冷水や温水が、シャワーホースを介して、通水間隙１２ｃを介してヘッド部１１の流路７１に流れ、散水孔１６から放出される。この場合、内管５３の下流側の流路７２が閉塞しているため、ダックビル弁５２は開放されず、カートリッジ５０の内管５３の内部には、水が流入しない。従って、この状態において、ダックビル弁５２が自身の弾性によって閉塞されており、内管５３内の水圧がダックビル弁５２の上流側の水圧より高くなったとしても、その圧力差はダックビル弁５２に対して弁閉鎖方向に作用する。
【００３０】
従って、内管５３内の保湿液がシャワーヘッド１０の外部のシャワーホース側に逆流することを回避できる。
保湿液を含むシャワーを利用する場合は、図１、図２に示す第１操作部材４５の押圧部４５ａを押圧する。このため、流路７２が開放される。従って、冷水または温水は、前記通水間隙１２ｃから流路７１側へ流れるだけではなく、ダックビル弁５２の上流側の流路７２が開放されるため、図２のダックビル弁５２が開かれて、カートリッジ５０の内管５３の内部に流入する。
【００３１】
内管５３内に流入した冷水または温水は、内管５３の連通孔５３ｃを介して、薬剤収容部５４に流入される。薬剤収容部５４に流された水は、薬剤収容部５４の薬剤の下流端を溶解し、保湿液となる。そして、その保湿液は連通孔５３ｃから内管５３内に流出し、ストレーナ５７を介して、出口部材５５内から流路７２に流入する。そして、この流路７２内の保湿液は、切替部２０の下流側において通水間隙１２ｃから流路７１内を流れてきた冷水または温水と混合されて、希釈された保湿液となる。そして、この希薄された保湿液は、散水孔１６から放出される。
【００３２】
内管５３において非連通部１０２となる領域に面する水溶性薬剤１００は、その下流端は、溶解するため、徐々に上流側に移動することになる。しかし、薬剤１００の空間１０１に臨む部分が溶解によって図２の図示において薬剤収容部５４の下端側に移動すれば、連通孔５３ｃを通して薬剤収容部５４に入り込んだ冷水や温水が薬剤１００の下流端が臨む空間で乱流になったり、小さくなった薬剤１００が浮き上がったりする。このため、弁室５１ｂの壁に孔が形成されていなくても、薬剤１００は適切に溶解されて連通孔５３ｃから流出される。
【００３３】
以上のように、第１，第２操作部材４５，４８の選択操作により、保湿液を含まない通常のシャワーと保湿液を含むシャワーとを得ることができる。この場合、適切濃度の保湿液が得られるように、前記内管５３の内径，連通孔５３ｃの開口大きさや数、あるいは配置位置等が設定される。このようにすれば、薬剤収容部５４内に流入した冷水または温水によって薬剤１００が少しずつ削り取られて、瞬時に溶解される。
【００３４】
なお、本実施形態では、内管５３の外径は、弁室５１ｂ部分を除いて、同一径としている。また、薬剤収容部５４の内径は、長さ方向全体において、同一径としている。従って、内管５３の同一外径部分の非連通部１０２においては、薬剤収容部５４を形成するカートリッジ５０内周面と内管５３（通水管）の非連通部１０２との間のシャワーヘッド用化粧剤の充填空間における断面積が、内管５３の軸心が延びる方向において、同一となる領域を有していることになる。
【００３５】
そして、前記充填空間の断面積が、前記軸心が延びる方向において、同一となる領域では、シャワーヘッド用化粧剤の冷水または温水に触れる面積が同じであるため、水の温度及び流水速度の同一条件下ではシャワーヘッド用化粧剤の溶け出す率を同じとすることができる。すなわち、シャワーヘッド用化粧剤を冷水または温水にムラなく安定して溶出させることができる。
【００３６】
また、冷水、または温水が流れていない状態で、冷水、または温水は、内管５３内及び空間１０１内に留まる。この場合、空間１０１内の冷水、または温水は、水溶性薬剤１００の下流端のみに触れる。このため、この水溶性薬剤１００の下流端のみが膨潤する。
【００３７】
このため、後に、このカートリッジを再使用する場合において、薬剤収容部５４に収納された薬剤を水中、若しくは、シャワーヘッド内に長期間保管した場合でも、カートリッジ内における薬剤収容部における通水の低下を抑制できる。
【００３８】
（他の実施形態）
・前記実施形態においては、カートリッジ５０に収容される薬剤として保湿剤を用いた。カートリッジ５０に収容される薬剤は、これに限らず、香水、スリミング剤、美白作用を有する化粧水、制汗剤などの他の化粧用添加剤、ニキビ、アトピー、皮膚病対策用の薬剤であってもよい。また、上記実施形態においては、固形の薬剤を用いたが、薬剤の形状はこれに限定されず、例えば、ジェル状や粒子状の薬剤等を用いてもよい。
【００３９】
・前記実施形態では、内管５３には、周方向に、かつ長さ方向において、中央部よりも下流端側の領域に複数の連通孔５３ｃを所定ピッチで透設したが、この構成に限定されない。連通孔５３ｃを不等ピッチとしてもよい。また、連通孔５３ｃの数を単数としてもよい。また、連通孔５３ｃの形状は限定するものではなく、例えば丸孔、四角孔、或いはスリットにして形成してもよい。
【００４０】
・前記実施形態では、内管５３の中央部よりも下流端側の領域に連通部を設けたが、この構成に限定されない。例えば、内管５３の中央部から下流端まで連通部を設けてもよい。
【００４１】
本実施形態によれば、以下のような特徴がある。
（１）本実施形態のカートリッジ５０は、シャワーヘッド用化粧剤を収納する筒状の薬剤収容部５４と、薬剤収容部５４内を貫通して配置された内管５３（通水管）であって、上流端には冷水または温水を取り込む開口５１ｃ（流入口）を備えた内管５３を備える。また、前記内管５３（通水管）の下流端には流入した冷水または温水を吐出する吐出口５３ａ（吐出部）を有する。また、薬剤収容部５４に面する内管５３（通水管）の上流側は、流入した冷水または温水が薬剤収容部５４とは出入り不能である非連通部１０２を有する。また、薬剤収容部５４に面する内管５３（通水管）の下流側は、内管５３（通水管）を通過する冷水または温水が薬剤収容部５４を出入り可能に設けられた連通孔５３ｃ（連通部）を有する。そして、シャワーヘッド用化粧剤が、薬剤収容部５４の非連通部１０２に臨む空間において、非連通部１０２と連通孔５３ｃ（連通部）の境界線Ｋまで充填されている。
【００４２】
この結果、本実施形態によれば、薬剤収容部に収納された薬剤を水中、若しくは、シャワーヘッド内に長期間保管した場合でも、カートリッジ内における薬剤収容部における通水の低下を抑制できる。
【００４３】
（２）本実施形態のカートリッジ５０は、連通部が、複数の連通孔５３ｃで形成されている。この結果、本実施形態によれば、複数の連通孔５３ｃにより、効率的に、内管５３から空間１０１へ、或いは空間１０１から内管５３に冷水、または温水を移動させることができる。
【００４４】
（３）本実施形態のカートリッジ５０は、薬剤収容部５４を形成する内周面と内管５３（通水管）の非連通部１０２との間のシャワーヘッド用化粧剤の充填空間における断面積が内管５３（通水管）の軸心が延びる方向において、同一となる領域を有している。この結果、充填空間の断面積が、前記軸心が延びる方向において、同一となる領域では、シャワーヘッド用化粧剤の冷水または温水に触れる面積が同じであるため、水の温度及び流水速度の同一条件下ではシャワーヘッド用化粧剤の溶け出す率を同じとすることができる。すなわち、シャワーヘッド用化粧剤を冷水または温水にムラなく安定して溶出させることができる。
【００４５】
（請求項以外の技術的思想）
前記実施形態によって把握される技術的思想は以下の通りである。
（Ａ）請求項１において、筒状のカートリッジケースと、そのカートリッジケースの軸心位置に貫設された通水管とを備えるとともに、前記カートリッジケースと通水管との間に薬剤収容部を設け、前記通水管に連通部を形成し、通水管の下流側端部にストレーナを設けたシャワーヘッド用カートリッジ。
【００４６】
（Ｂ）前記薬剤収容部内には固形の水溶性薬剤を収容するとともに、前記薬剤収容部内において前記水溶性薬剤の下流側には空間を形成した前記（Ａ）項に記載のシャワーヘッド用カートリッジ。
【実施例】
【００４７】
次に、実施例１、２及び比較例１〜５を挙げて具体的に説明する。
図４は、前記実施形態で説明したカートリッジ５０の構成において、内管５３の全長に亘って複数個の連通孔５３ｃを所定ピッチ（すなわち、等ピッチ）で配置したものが図示されている。図４のカートリッジ５０において、連通孔５３ｃを除く他の構成は、前記実施形態の構成と同じであるため、同一部分については、同一符号を付している。そして、連通孔５３ｃの数は、１列当たり１６個を備えるとともに、列数を４列有している。なお、図４では、２列分の連通孔５３ｃ群が図示されている。
【００４８】
このようなカートリッジ５０において、比較例１では、各列の連通孔５３ｃ群において上流端（図４では下）側の１個目から９個目までの連通孔５３ｃを塞いだものとしている。
【００４９】
比較例２では、各列の連通孔５３ｃ群において上流端（図４では下）側の６個目から９個目までの連通孔５３ｃを塞いだものとしている。
比較例３では、各列の連通孔５３ｃ群において上流端（図４では下）側の６個目から１２個目までの連通孔５３ｃを塞いだものとしている。
【００５０】
比較例４では、各列の連通孔５３ｃ群において上流端（図４では下）側の９個目から１６個目までの連通孔５３ｃを塞いだものとしている。
比較例５では、各列の連通孔５３ｃ群において上流端（図４では下）側の９個目から１４個目までの連通孔５３ｃを塞いだものとしている。
【００５１】
比較例６では、各列の連通孔５３ｃ群において上流端（図４では下）側の１個目から１６個目までの連通孔５３ｃを明けたものとしている。
また、比較例１〜６では、水溶性薬剤１００（シャワーヘッド用化粧剤）を薬剤収容部５４において、空間１０１が生じないようにすきまなく充填した。
【００５２】
一方、実施例１は、各列の連通孔５３ｃ群において上流端（図４では下）側の１個目から１３個目までの連通孔５３ｃを塞いだものとしている。すなわち、上流端から各列の１４個目の連通孔５３ｃの下端までを、内管５３の非連通部とし、上流端（図４では下）側の１４個目から１６個目の連通孔５３ｃを連通部とした。
【００５３】
また、実施例１では、薬剤収容部５４において、上流端から１４個目の連通孔５３ｃの下端までを水溶性薬剤１００（シャワーヘッド用化粧剤）で充填することにより、水溶性薬剤１００が充填されていない空間１０１を形成した。
【００５４】
実施例２は、各列の連通孔５３ｃ群において上流端（図４では下）側の１個目から１１個目までの連通孔５３ｃを塞いだものとしている。すなわち、上流端から各列の１２個目の連通孔５３ｃの下端までを、内管５３の非連通部とし、上流端（図４では下）側の１２個目から１６個目の連通孔５３ｃを連通部とした。
【００５５】
また、図４に示すように実施例２では、薬剤収容部５４において、上流端から１２個目の連通孔５３ｃの下端まで水溶性薬剤１００（シャワーヘッド用化粧剤）を充填することにより、水溶性薬剤１００が充填されていない空間１０１を形成した。なお、図４では、説明の便宜上、上流端から下流端までの各列において１６個全ての連通孔５３ｃを図示している。
【００５６】
上記のように実施例１、２は、非連通部となる部分においても、説明の便宜上、連通孔５３ｃを図示したが、試験では上記の通りにして塞いだ構成としている。
＜シャワーヘッド用化粧剤＞
下記のａ〜ｄで区分される成分からなるシャワーヘッド用化粧剤を、実施例１、２及び比較例１〜６の薬剤収容部５４に充填した。
【００５７】
（ａ）
ＰＥＧ／ＰＰＧ−１５０／３５コポリマー          ９２．１５質量％
（ｂ１）    下記の３つの成分合計                    １．７質量％
１，２−オクタンジオール（保湿剤）、エチルヘキシルグリセリン（消臭剤、制汗剤）、パラオキシ安息香酸メチル（防腐剤）
（ｂ２）    下記の３つの成分合計                    １．５質量％
アミノ酸、コラーゲン、水
（ｃ）
ＰＶＡ                                          ３．６５質量％
（ｄ）
香料                                              １．０質量％
＜試験方法＞
（１．第１〜２９日での処理）
第１週〜第４週（第１〜２８日目）においては、１週間のうち、六日間は、毎日下記のことを行った。なお、第２９日目のみ下記のことを行った。
【００５８】
図２に示す第２操作部材４８を押し込みして、５分間、４０℃の温水を９Ｌ／ｍｉｎ通水を行い、保湿液を含まないシャワーとして使用する（以下、この作業を第１処理という）。この場合、カートリッジ５０内は温水に満たされているが、通水されない状態となる。
【００５９】
通水後、シャワーヘッド１０からカートリッジ５０を取り出して、カートリッジ５０の外観撮影を行い、満水にしたガラス瓶にカートリッジ５０を投入し、室温で保管する。
１週間のうち、第１処理を行わない残りの１日は、前記カートリッジ５０を満水にしたガラス瓶に投入し、室温で保管した。
【００６０】
また、第１５日目、第２２日目、第２９日目では、第１処理の他にさらに図２に示す第１操作部材４５の押圧部４５ａを押圧して、５分間、４０℃の温水を６Ｌ／ｍｉｎ通水を行い、保湿液を含むシャワーとして使用する（以下、この作業を第２処理という）。
【００６１】
第１〜４週で行った第１処理、及び第１５日目、第２２日目、第２９日目で行った第２処理の結果を表１で示す。
【００６２】
【表１】
2015104547.tif 000003
表１に示すように、比較例１はカートリッジ５０内部の内管５３が第２２日目において詰まり、第２処理による通水が不可となった。
【００６３】
比較例２、５及び６はカートリッジ５０内部の内管５３が第１５日目において詰まり、第２処理による通水が不可となった。
比較例３及び比較例４はカートリッジ５０内部の内管５３が第２２日目において詰まり、第２処理による通水が不可となった。
【００６４】
これに対して、実施例１、２は、第４週の第２９日目まで、第２処理による通水が可能であった。
実施例２では、第２処理によって得られる保湿液（シャワーヘッド用化粧剤）による保湿感は、保湿感を十分得ることができた。
【００６５】
また、実施例１では、第２処理によって、保湿液（シャワーヘッド用化粧剤）による保湿感は、実施例２よりは劣るが、保湿感を得ることができた。
【符号の説明】
【００６６】
１０…シャワーヘッド、１２…グリップ部、
５０…カートリッジ、５１…カートリッジケース、
５１ｃ…開口（流入口）、５３…内管（通水管）、５３ａ…吐出口（吐出部）、
５３ｃ…連通孔（連通部）、５４…薬剤収容部、
１００…水溶性薬剤。
【図１】
2015104547.tif 000004
【図２】
2015104547.tif 000005
【図３】
2015104547.tif 000006
【図４】
2015104547.tif 000007